(57)【要約】【課題】着用者から発せられた熱や蒸れを効果的に外部に放出することができる衣料を提供する。【解決手段】衣料１の後身頃３には、身幅方向の両側の肩甲骨の高さ部分に、着用者側に面して身長方向に延びるスペーサー４が設けられ、スペーサー４の間に通気部５が形成されている。後身頃３には、スペーサー４の身幅方向の外方に、着用者側に面して、織布または編布に中材が包まれた保温パック６が設けられていることが好ましい。【選択図】図５
2017095811.tif 000002
【特許請求の範囲】
【請求項１】
前身頃と後身頃を有する衣料であって、
後身頃には、身幅方向の両側の肩甲骨の高さ部分に、着用者側に面して身長方向に延びるスペーサーが設けられ、前記スペーサーの間に通気部が形成されていることを特徴とする衣料。
【請求項２】
後身頃には、前記スペーサーの身幅方向の外方に、着用者側に面して、織布または編布に中材が包まれた保温パックが設けられている請求項１に記載の衣料。
【請求項３】
前記スペーサーは、前記保温パックよりも高い圧縮弾性を有する請求項２に記載の衣料。
【請求項４】
後身頃には、前記保温パックとして、身幅方向の一方側と他方側それぞれに、身長方向に離間して上側保温パックと下側保温パックが設けられている請求項２または３に記載の衣料。
【請求項５】
前記スペーサーは、厚さが５ｍｍ以上２５ｍｍ以下である請求項１〜４のいずれか一項に記載の衣料。
【請求項６】
前記スペーサーは、発泡樹脂またはエラストマー樹脂から構成されている請求項１〜５のいずれか一項に記載の衣料。
【請求項７】
身幅方向の両側に設けられた前記スペーサーの離間距離は、上端側よりも下端側の方が広い請求項１〜６のいずれか一項に記載の衣料。
【請求項８】
後身頃は表地と裏地を有し、
裏地は、メッシュ部材から構成された基材に前記スペーサーが設けられており、
表地には、前記スペーサーの間の位置に前記通気部が形成されている請求項１〜７のいずれか一項に記載の衣料。
【発明の詳細な説明】
【技術分野】
【０００１】
本発明は衣料に関するものであり、詳細には、少なくとも上半身に着用する衣料に関するものである。
【背景技術】
【０００２】
従来、通気性を高めるための工夫がされた衣料が様々知られている。例えば、特許文献１には、上半身部分の着用者側の面に弾性変形可能なスペーサー部材が取り付けられた衣料が開示され、特許文献２には、メッシュ地からなる着衣の上半身部分に合成樹脂発泡体からなる小片を点在して固定させた衣料が開示されている。
【先行技術文献】
【特許文献】
【０００３】
【特許文献１】特開２０００−１７００１９号公報
【特許文献２】実開昭５９−１８５２０４号公報
【発明の概要】
【発明が解決しようとする課題】
【０００４】
特許文献１，２に開示される衣料は、上半身部分の全体の通気性を高めるように構成されているが、人体の上半身は、暑さを特に感じやすい部分や発熱しやすい部分が存在し、逆に寒さを特に感じやすい部分も存在する。そのため、衣料の上半身部分の全体の通気性を高めた場合、寒さを感じやすい部分が冷えることにより、かえって着用感が低下するおそれがある。また、寒さを感じやすい部分の通気性が優先的に高まり、発熱しやすい部分の通気性が改善されないような場合は、発汗が促されることによって身体の冷えが促進されることも懸念される。
【０００５】
本発明は前記事情に鑑みてなされたものであり、その目的は、着用者から発せられた熱や蒸れを効果的に外部に放出することができる衣料を提供することにある。
【課題を解決するための手段】
【０００６】
本発明者らは、人体の上半身のどの部分が特に発熱しやすく、また発汗しやすいか調査を行った。その結果、人体の背中では身幅方向の中央部（背骨に沿った部分）で特に発熱しやすいことが分かった。当該部分から発せられた熱がスムーズに発散されない場合、発汗量が増加し、身体の冷えにつながる。そのため、背中の身幅方向の中央部では、着用者から発せられた熱や蒸れが外部にスムーズに放出されるようにすることが好ましい。しかし上半身に着用する衣料は、後身頃の肩甲骨周りで着用者に密着しやすく、当該部分では、着用者から発せられた熱や蒸れが拡散しにくい。そこで本発明の衣料では、後身頃の身幅方向の両側の肩甲骨の高さ部分に、着用者側に面して身長方向に延びるスペーサーを設け、スペーサーの間に外部と通気した通気部を形成するようにした。すなわち本発明の衣料とは、前身頃と後身頃を有する衣料であって、後身頃には、身幅方向の両側の肩甲骨の高さ部分に、着用者側に面して身長方向に延びるスペーサーが設けられ、スペーサーの間に通気部が形成されているところに特徴を有する。
【０００７】
本発明の衣料は、後身頃の身幅方向の両側の肩甲骨の高さ部分に、着用者側に面して身長方向に延びるスペーサーが設けられているため、背中の肩甲骨の高さ部分での通気性が高められ、背中の身幅方向の中央部で熱や蒸れが拡散しやすくなる。そして、スペーサーの間に通気部が形成されることにより、通気部を通して熱や蒸れがスムーズに外部に放出されるようになる。そのため、本発明の衣料によれば、背中の特に発熱しやすい部分からの熱や蒸れが効果的に外部に放出され、身体が過剰に温まったり、また身体が冷えることを抑えることができる。
【０００８】
後身頃には、スペーサーの身幅方向の外方に、着用者側に面して、織布または編布に中材が包まれた保温パックが設けられていることが好ましい。後身頃のスペーサーの身幅方向の外方に保温パックを設けることにより、着用者の身幅方向の中央部から発せられた過剰な熱を外部に逃がしながら、着用者を効果的に保温することが可能となる。また、スペーサーと協働して、背中の身幅方向の中央部で熱や蒸れが拡散するための空間が形成されやすくなる。
【０００９】
スペーサーは、保温パックよりも高い圧縮弾性を有することが好ましい。このようにスペーサーと保温パックが形成されていれば、スペーサーが着用者からの圧縮力によってつぶれにくくなり、スペーサーの間に熱や蒸れが拡散するための空間が安定して形成されやすくなる。また、保温パックに適度なクッション性が付与されることにより、保温パックの身体への密着性が高められ、保温性を高めることができる。
【００１０】
後身頃には、保温パックとして、身幅方向の一方側と他方側それぞれに、身長方向に離間して上側保温パックと下側保温パックが設けられていることが好ましい。この場合、上側保温パックと下側保温パックの間に体側部から背中の身幅方向の中央部に繋がる拡散空間が形成されるため、体側部から発せられた熱や蒸れが上側保温パックと下側保温パックの間の当該空間を通って背中の身幅方向の中央部に移行しやすくなり、スペーサーの間に形成された通気部から外部に放出することができる。
【００１１】
スペーサーは、厚さが５ｍｍ以上２５ｍｍ以下であることが好ましく、これにより、着用者の背中で邪魔にならずに、着用者と衣料の着用者側の面との間に熱や蒸れが拡散するための空間が確保されやすくなる。スペーサーはまた、発泡樹脂またはエラストマー樹脂から構成されていることが好ましく、これにより、スペーサーが圧縮力に対して適度な反発力を発現しやすくなる。
【００１２】
身幅方向の両側に設けられたスペーサーの離間距離は、上端側よりも下端側の方が広いことが好ましい。このようにスペーサーが設けられれば、着用者から発せられた熱や蒸れが、スペーサーの間の空間を上昇する際により限定された空間に集められ、通気部から効率的に外部に放出されやすくなる。
【００１３】
後身頃は表地と裏地を有し、裏地は、メッシュ部材から構成された基材にスペーサーが設けられており、表地には、スペーサーの間の位置に通気部が形成されていることが好ましい。このように後身頃が構成されることにより、着用者の背中から発せられた熱や蒸れが、裏地のメッシュ部材を通って、裏地と表地の間でも拡散することができるようになる。表地と裏地の間に溜まった熱や蒸れは、表地の通気部を通って外部に放出することができる。
【発明の効果】
【００１４】
本発明の衣料は、後身頃の身幅方向の両側の肩甲骨の高さ部分に、着用者側に面して身長方向に延びるスペーサーが設けられているため、背中の肩甲骨の高さ部分での通気性が高められ、背中の身幅方向の中央部で熱や蒸れが拡散しやすくなる。そして、スペーサーの間に通気部が形成されることにより、通気部を通して熱や蒸れがスムーズに外部に放出されるようになる。そのため、本発明の衣料によれば、背中の特に発熱しやすい部分からの熱や蒸れが効果的に外部に放出され、身体が過剰に温まったり、また身体が冷えることを抑えることができる。
【図面の簡単な説明】
【００１５】
【図１】本発明の衣料の一例を表し、衣料を後身頃の外面側から見た全体図を表す。
【図２】図１に示した衣料の後身頃を着用者側から見た展開図を表す。
【図３】衣料を前身頃の外面側から見た全体図を表す。
【図４】図３に示した衣料の前身頃を着用者側から見た展開図を表す。
【図５】本発明の衣料の他の例を表し、衣料を後身頃の外面側から見た全体図を表す。
【図６】図５に示した衣料の後身頃を着用者側から見た展開図を表す。
【発明を実施するための形態】
【００１６】
本発明は、上半身に着用する衣料に関するものである。本発明の衣料は、着用者から発せられた熱や蒸れを外部に好適に排除することができるものであり、例えば、登山やゴルフのようなアウトドアでの活動の際に着用する衣料や、作業をする際に着用する衣料や、防寒を目的とした衣料に好適に用いることができる。
【００１７】
本発明の衣料について、図面を参照して説明する。なお、本発明は図面に示された実施態様に限定されるものではない。図１〜図４には、本発明の衣料の一例を示した。図１は衣料を後身頃の外面側から見た全体図を表し、図２は後身頃を着用者側から見た展開図を表し、図３は衣料を前身頃の外面側から見た全体図を表し、図４は前身頃を着用者側から見た展開図を表す。
【００１８】
衣料１（１Ａ）は前身頃２と後身頃３を有しており、少なくとも上半身に着用する部分を含んでいる。衣料１Ａは、前身頃２と後身頃３に加え、例えば袖を有していてもよく、またフードが取り付けられていたり、下半身に着用する部分を含んでいてもよい。前身頃２と後身頃３とは、胴体の前側と後側を覆う部分をそれぞれ意味し、前身頃２と後身頃３は身体の真横で区分される。衣料１Ａを構成するパーツ（縫製前のパーツ）は、前身頃２と後身頃３の区分と一致するように必ずしも形成されていなくてもよい。
【００１９】
衣料は身長方向と身幅方向を有する。身長方向とは、着用者の頭から足にかけての方向に相当し、身幅方向とは、着用者の左右方向に相当する。衣料の身長方向と身幅方向は、着用者が衣料を着用した状態で定められる。身長方向に対しては上方と下方が定められ、身幅方向に対しては、身幅方向の中心線（着用者の左右方向の中心線に対応）を基準に、内方と外方が定められる。
【００２０】
図１および図２に示すように、衣料１Ａには、後身頃３の身幅方向の両側の肩甲骨の高さ部分に、着用者側に面して身長方向に延びるスペーサー４が設けられており、スペーサー４の間に通気部５が形成されている。スペーサー４は、着用者と衣料の着用者側の面との間に、着用者から発せられた熱や蒸れを拡散させる空間を形成するために設けられ、通気部５は前記空間に溜まった熱や蒸れを外部に放出するために設けられている。なお衣料の着用者側とは、衣料を着用した際に着用者に面する側を意味する。
【００２１】
人体の背中は、身幅方向の中央部（背骨に沿った部分）で特に発熱しやすく、当該部分から発せられた熱がスムーズに発散されない場合、当該部分からの発汗量が増加する。一方、汗が乾く際には身体から熱が奪われるため、発汗量の増加は身体の冷えにつながる。そのため、汗をかいた後の冷えを考慮すると、背中の身幅方向の中央部では、着用者から発せられた熱や蒸れが外部にスムーズに放出されるようにすることが好ましい。しかし上半身に着用する衣料は、後身頃の肩甲骨周りで着用者に密着しやすく、当該部分で着用者から発せられた熱や蒸れが拡散しにくくなる。そこで、衣料１Ａの後身頃３には、身幅方向の両側の肩甲骨の高さ部分に、着用者側に面して身長方向に延びるスペーサー４を設けている。これにより、背中の肩甲骨の高さ部分での通気性が高められ、背中の身幅方向の中央部で熱や蒸れが拡散しやすくなる。そして、スペーサー４の間に通気部５を形成することにより、通気部５を通して熱や蒸れがスムーズに外部に放出され、身体が過剰に温まりにくくなる。その結果、当該部分での発汗量が抑えられ、身体の冷えを抑えることができる。
【００２２】
スペーサー４は、肩甲骨の高さ部分を含んで、身長方向に延びるように設けられれば、その配置は特に限定されない。例えば、肩甲骨の高さ部分から腰の高さ部分まで延びていてもよく、また身長方向に斜めに延びていてもよい。スペーサー４は、身長方向に連続的に設けられてもよく、断続的に設けられてもよい。
【００２３】
スペーサー４は着用者側に面して設けられる。スペーサー４は後身頃３の着用者側の面の一部を構成し、衣料を着用の際に着用者に接するように設けられる。スペーサー４は、例えば、後身頃３を構成する基材の着用者側の面に取り付けられる。後身頃３が裏地を有する場合は、スペーサー４は、裏地の着用者側の面に取り付けたり、裏地の一部を切除し、そこにはめ込んで設ければよい。
【００２４】
スペーサー４の長さ（延在長さ）は、背中の肩甲骨周りでの通気性を高める点から、５ｃｍ以上が好ましく、８ｃｍ以上がより好ましく、１０ｃｍ以上がさらに好ましい。一方、スペーサーの長さが長すぎても、着用者が上半身を屈曲させたり捻ったりする際に邪魔になるおそれがあることから、スペーサー４の長さは４０ｃｍ以下が好ましく、３５ｃｍ以下がより好ましく、３０ｃｍ以下がさらに好ましい。なお、スペーサーが身長方向に断続的に設けられる場合は、断続部分の身長方向の長さの割合はスペーサー全体の３０％以下になることが好ましく、２０％以下がより好ましく、１０％以下がさらに好ましく、その上で、断続的に設けられたスペーサー全体の身長方向の長さ（断続部分を含めた長さ）が上記範囲にあることが好ましい。
【００２５】
スペーサー４の幅は、０．５ｃｍ以上が好ましく、１ｃｍ以上がより好ましく、１．５ｃｍ以上がさらに好ましく、また５ｃｍ以下が好ましく、４ｃｍ以下がより好ましく、３ｃｍ以下がさらに好ましい。スペーサーがこのような幅を有していれば、着用者と衣料の着用者側の面との間に熱や蒸れが拡散するための空間が確保されやすくなる。また、スペーサーが極端に広い面積で設けられることによって熱や蒸れが発散しにくくなることが抑えられる。
【００２６】
スペーサー４の厚さは、５ｍｍ以上が好ましく、７ｍｍ以上がより好ましく、これにより、着用者と衣料の着用者側の面との間に熱や蒸れが拡散するための空間が確保されやすくなる。一方、スペーサーの厚みが厚すぎても着用者が邪魔に感じるおそれがあることから、スペーサー４の厚さは２５ｍｍ以下が好ましく、２０ｍｍ以下がより好ましい。
【００２７】
スペーサー４は、身長方向の長さが身幅方向の長さよりも長くなるように設けられる限り、直線状に配置されてもよく、曲線状に配置されてもよく、これらの組み合わせの形状で配置されてもよい。スペーサー４はまた、延在長さ／幅の比が５以上となることが好ましく、７以上がより好ましく、また３０以下が好ましく、２５以下がより好ましい。前記延在長さは、スペーサーの幅中心線の長さを意味する。
【００２８】
身幅方向の両側に設けられたスペーサー４の離間距離は、３ｃｍ以上となることが好ましく、５ｃｍ以上がより好ましく、また２０ｃｍ以下が好ましく、１５ｃｍ以下がより好ましい。このようにスペーサーが配置されていれば、身幅方向の両側のスペーサーの間に、着用者から発せられた熱や蒸れを好適に集めやすくなる。また、スペーサーは背骨と肩甲骨の間の部分に配置されるのが好ましいところ、身幅方向の両側に設けられたスペーサーがこのような離間距離で設けられれば、スペーサーが背骨や肩甲骨に当たりにくくなり、衣料の着用感を良好なものとすることができる。なお、前記離間距離は、身幅方向の一方側に設けられたスペーサー４と他方側に設けられたスペーサー４との最短離間距離を意味する。
【００２９】
身幅方向の両側に設けられたスペーサー４の離間距離は、上端側よりも下端側の方が広いことが好ましい。このようにスペーサーが設けられれば、着用者から発せられた熱や蒸れが、スペーサーの間の空間を上昇する際により限定された空間に集められ、通気部から効率的に外部に放出されやすくなる。
【００３０】
スペーサー４は、例えば、弾性体から構成されることが好ましい。弾性体としては、一般的な衣料の取り扱い条件で、弾性変形可能なものであることが好ましい。弾性体としては、例えば、発泡ウレタン、発泡ゴム、発泡ポリエチレン、発泡ポリエステル等の発泡ポリマー；シリコーン樹脂、ポリウレタン樹脂等のエラストマー樹脂；気体、液体、ゲル、粒状物等を充填した袋体等が挙げられる。中でも、圧縮力に対して適度な反発力を発現する点から、スペーサーは、発泡ポリマーまたはエラストマー樹脂から構成されていることが好ましい。スペーサーは、これらの発泡ポリマーやエラストマー樹脂が、織布や編布等の布材料で覆われて形成されていてもよく、これによりスペーサーの肌触りを向上させることができる。
【００３１】
スペーサー４は、折り曲げ部を有していてもよい。折り曲げ部では、スペーサーが容易に折り曲げることができるように形成されている。折り曲げ部は、例えば、スペーサーを構成する弾性体に切れ目を入れたり、スペーサーの厚みを部分的に薄く形成することにより形成することができる。折り曲げ部を形成することにより、スペーサーの着用者へのフィット性を高めることができる。なお、スペーサーはある程度の剛性を有していることが好ましいことから、基本的には人体の凹凸の少ない部分に設けられることが好ましい。従って、スペーサーは、着用者の肩甲骨と当たらない位置に設けられることが好ましく、また後身頃から前身頃に跨がって設けられないことが好ましく、例えば、肩などに設けられないことが好ましい。
【００３２】
スペーサー４は、延在方向の直交断面が、着用者と接する側が丸まった形状となっていることが好ましく、例えば、円、楕円、長円形または角丸多角形を直線で切除した形状となっていることが好ましい。スペーサーの断面がこのような形状を有していれば、スペーサーが着用者と接する面積が少なくなり、スペーサーが設けられた部分でも熱や蒸れが発散しやすくなる。
【００３３】
身幅方向の両側に設けられたスペーサー４の間には、通気部５が形成されている、通気部５により外部との通気性が高められ、スペーサー４の間に溜まった熱や蒸れが通気部５を通って外部に放出される。本発明の衣料は、例えば機械的な排気手段や送風手段を特に設けなくても、熱や蒸れを自然拡散によって外部に放出することができる。
【００３４】
通気部５は、次のように形成される。すなわち、後身頃３が高通気性部と低通気性部を有し、少なくともスペーサー４の間に高通気性部が設けられることで、通気部５が形成される。後身頃が表地と裏地を有する場合は、表地と裏地を合わせた通気性に基づき規定される。通気性は、例えば、ＪＩＳ  Ｌ  １０９６（２０１０年版）の８．２６に記載されるＡ法またはＢ法に基づき測定すればよい。通気部は、例えば、メッシュ素材や高通気性素材等から構成することができる。
【００３５】
通気部５は、後身頃３のスペーサー４の間の一部のみに形成されてもよく、全部に形成されてもよい。また通気部５は、スペーサー４と身長方向に対して重ならない位置、すなわちスペーサー４よりも身長方向に対して上方および／または下方の位置にも形成されてもよい。好ましくは、通気部５は、スペーサー４と身長方向に重なる位置からスペーサー４より上方に延在して設けられ、より好ましくは、スペーサー４と身長方向に重なる位置からスペーサー４より上方と下方に延在して設けられる。
【００３６】
通気部５は少なくとも肩甲骨の高さ部分に設けられることが好ましい。これにより、背中の上方部から発せられた熱も下方部から発せられた熱も、通気部５を通って外部に放出されやすくなる。例えば、通気部５が背中の下方部に形成されていなくても、背中の下方部から発せられた熱が着用者と衣料の着用者側の面との間の空間を上昇して、通気部５から外部に出ることができる。衣料の通気性を高める点からは、通気部５は、後身頃３の身幅方向の中央部に、後身頃３の身長方向の３０％以上の長さで設けられることが好ましく、５０％以上がより好ましく、７０％以上がさらに好ましい。また通気部５は、後身頃３の身長方向の長さと略一致するように設けられてもよい。
【００３７】
通気部５は、スペーサー４よりも身幅方向の外方にも一部形成されていてもよいが、人体の背中は肩甲骨からその下方にかけての部分で特に寒さを感じやすいため、当該部分では通気性を低くして熱の放出を抑えるようにすることが好ましい。従って、後身頃３には、スペーサー４よりも身幅方向の外方に、少なくとも肩から腰の高さにわたって通気部が形成されない部分が存在することが好ましく、具体的には、肩甲骨を含んで少なくとも肩から腰の高さにわたって通気部が形成されないことが好ましい。
【００３８】
通気部５は、例えば、身幅方向の長さが１ｃｍ以上であることが好ましく、１．５ｃｍ以上がより好ましく、２ｃｍ以上がさらに好ましい。通気部５の身幅方向の長さの上限は特に限定されず、例えば、衣料の裾部分の全体が通気部として形成されていてもよい。なお、通気部５が身長方向に対してスペーサー４と重なる部分においては、通気部５の身幅方向の長さは１８ｃｍ以下となることが好ましく、１５ｃｍ以下がより好ましく、１３ｃｍ以下がさらに好ましい。通気部５の身長方向の長さは、５ｃｍ以上が好ましく、８ｃｍ以上がより好ましく、１０ｃｍ以上がさらに好ましく、１５ｃｍ以上がさらにより好ましい。
【００３９】
通気部５は、衣料１Ａの外部に面するように設けられることが好ましく、具体的には、後身頃３の外側の面（着用者と反対側の面）の一部を構成するように通気部５が設けられることが好ましい。このように通気部５が設けられることにより、熱や蒸れが通気部５を通って外部に放出されやすくなる。
【００４０】
なお図面には示されていないが、通気部は、衣料の体側部（腋より下方の部分）に形成されていてもよい。人体の上半身は体側部でも発熱しやすく、また当該部分からの発汗量も多くなりやすい。従って、通気部を衣料の体側部に形成することにより、当該部分からの熱や蒸れをスムーズに外部に放出しやすくなる。
【００４１】
後身頃３には、スペーサー４の身幅方向の外方に、着用者側に面して、保温パック６が設けられることが好ましい。保温パック６は、衣料１Ａの保温性を確保するために設けられる。人体の背中は、肩甲骨からその下方にかけての部分で寒さを感じやすく、当該部分では保温性を高めることが好ましい。従って、後身頃３のスペーサー４の身幅方向の外方に保温パック６が設けられれば、着用者の背中から発せられた過剰な熱を外部に逃がしながら、効果的に着用者を保温することが可能となる。
【００４２】
保温パック６は、織布または編布に中材が包まれて構成されている。保温パック６がこのように構成されることにより、保温パック６が着用者に向かって膨らみ、着用者との密着性を高めることができる。そのため、衣料１Ａは、保温パック６が設けられた部分で保温性が高められるとともに、スペーサー４と協働して、背中の身幅方向の中央部で熱や蒸れが拡散するための空間が確保されやすくなる。なお衣料１Ａは、保温パック６が設けられた部分では外部との通気性が低下するため、保温パック６が設けられた部分は通気部を形成しない。
【００４３】
中材を包む織布の織組織や編布の編組織は特に限定されず、公知の織組織や編組織を採用できる。織布の織組織としては、平織、綾織、朱子織等が挙げられ、編布の編組織としては、平編、ゴム編、両面編、ハーフ編等が挙げられる。中材の脱落を防止する点から、織布や編布としては、高密度織布や高密度編布を用いることが好ましい。
【００４４】
中材としては、例えば、ダウン（羽毛）、フェザー（羽根）、綿や合成繊維等の繊維塊等を用いることができる。中材は、複数の織布または編布の間に配してもよく、１枚の織布または編布を折り返してその間に配してもよい。いずれの場合も、中材は、織布または編布によって周囲全体が包まれることとなる。
【００４５】
保温パック６は、織布または編布に包まれた内部が複数に区分されていてもよい。これにより中材の偏在を抑えることができる。図面では、保温パック６が縫合線７で内部が複数に区分されている。
【００４６】
保温パック６は着用者側に面して設けられる。保温パック６は後身頃３の着用者側の面の一部を構成し、衣料を着用の際に着用者に接するように設けられる。保温パック６は、例えば、後身頃３を構成する基材の着用者側の面に取り付けられる。後身頃３が裏地を有する場合は、保温パック６は、裏地の着用者側の面に取り付けたり、裏地の一部を切除し、そこにはめ込んで設ければよい。
【００４７】
保温パック６は、身幅方向の両側に設けられたスペーサー４に対して、身幅方向の外方にそれぞれ設けられ、スペーサー４の間には設けられない。保温パック６は、後身頃３の一部のみに設けられ、例えば、後身頃３の２０％以上５０％以下の領域（より好ましくは２５％以上４０％以下の領域）に配されることが好ましい。
【００４８】
保温パック６は、着用者の肩甲骨から下方に延びるように配置されていることが好ましく、着用者の肩甲骨から腰（具体的には背中の臍の高さの部分）まで延びるように配置されていることがより好ましい。また、衣料１Ａの体側部には保温パックが設けられないことが好ましい。このように保温パックを配置することで、効果的に着用者を保温することができる。例えば、後身頃３の身幅方向の中央部や体側部に保温パックを設けなくても、保温性を確保することができる。また、一般的なダウンジャケット等とは異なり、衣料を着用した状態でも、保温パックによって身体の動きが邪魔されにくくなり、上半身の運動性を確保することができる。
【００４９】
保温パック６の幅（身幅方向の最大幅）は、４ｃｍ以上が好ましく、８ｃｍ以上がより好ましく、また２０ｃｍ以下が好ましく、１５ｃｍ以下がより好ましい。このように保温パックが形成されていれば、保温パックによる保温性が確保されやすくなるとともに、背中の身幅方向の中央部に熱や蒸れが拡散するための空間が十分な広さで確保されやすくなる。
【００５０】
保温パック６は、身長方向に対して連続的に設けられてもよく、断続的に設けられてもよい。例えば、保温パックが身長方向に断続的に設けられ、上側保温パックと下側保温パックを有していてもよい。
【００５１】
保温パック６は、後身頃３の身幅方向の両側で、着用者の肩甲骨付近で下方に向かって離間距離が広がるように配置されていることが好ましい。背中の身幅方向の中央部は、肩甲骨のすぐ下の部分でより発熱しやすいため、このように保温パック６を配置することで、背中からの熱が発散されやすくなる。一方、着用者の背中で寒さを感じやすい部分は保温パック６で覆うことができるため、保温パック６によって保温性を確保することができる。後身頃３の左側と右側に配置された保温パック６は、身幅方向に最大１０ｃｍ以上離間していることが好ましく、１５ｃｍ以上離間していることがより好ましく、また２５ｃｍ以下離間していることが好ましい。
【００５２】
保温パック６は、スペーサー４と近接して設けられることが好ましい。これにより、スペーサー４と保温パック６とが協働して、背中の身幅方向の中央部で熱や蒸れが拡散するための空間を形成しやすくなる。スペーサー４と保温パック６との離間距離は、３ｃｍ以下が好ましく、１．５ｃｍ以下がより好ましく、０．５ｃｍ以下がさらに好ましい。また、スペーサー４と保温パック６が接して設けられたり、一部重なって設けられることにより、スペーサー４と保温パック６の離間距離が０ｃｍとなっていることも好ましい。
【００５３】
スペーサー４は、保温パック６よりも高い圧縮弾性を有することが好ましい。このようにスペーサー４と保温パック６が形成されていれば、スペーサー４が着用者からの圧縮力によってつぶれにくくなり、スペーサー４の間に熱や蒸れが拡散するための空間が安定して形成されやすくなる。また、保温パック６に適度なクッション性が付与されることにより、保温パック６の身体への密着性が高められ、保温性を高めることができる。圧縮弾性は、例えば、ＪＩＳ  Ｋ  ６４００−２（２０１２年版）の６．７に記載されるＤ法（２５％圧縮時応力）に基づき測定すればよい。
【００５４】
衣料１Ａには、図３および図４に示すように、前身頃２にも保温パック８が設けられることが好ましい。この場合、前身頃２の保温パック８は、着用者側に面して、前身頃２の身幅方向の両側に設けられることが好ましい。人体の上半身の前側は、左右の胸部から下方にかけての部分で特に寒さを感じやすいことから、前身頃２の身幅方向の両側に保温パック８を設けて、当該部分での保温性を高めることが好ましい。保温パック８は、着用者の左右の胸部から下方に延びるように配置されることが好ましい。一方、人体の上半身の前側では、胸部の中央部付近で特に発熱しやすく、当該部分から発せられた熱をスムーズに発散することで、当該部分での過剰な発熱や発汗を抑えることができる。従って、前身頃２の身幅方向の中央部には保温パックを設けないことが好ましい。このように保温パック８を設けることにより、保温パック８によって身体の動きが邪魔されにくくなり、上半身の運動性を確保することができる。なお、前身頃２の身幅方向の中央部とは、着用者の上半身の前側の身幅方向の中心線を含む近傍部分を意味する。
【００５５】
保温パック８は、着用者の左右の胸部から脇腹（具体的には臍の横の部分）まで延びるように配置されることが好ましい。このように保温パック８を配置することで、保温パック８によって効果的に着用者を保温することができ、また左右の保温パック８によって挟まれた空間では熱や蒸れ好適に発散しやすくなる。
【００５６】
前身頃２において、体側部には保温パックが設けられないことが好ましい。保温パック８は、前身頃２の一部のみに設けられ、例えば、前身頃２の２０％以上５０％以下の領域（より好ましくは２５％以上４０％以下の領域）に配されることが好ましい。
【００５７】
保温パック８は、着用者の腕の動き（特に腕を着用者の前に持ってくる動き）をできるだけ阻害しないように配置されることが好ましい。この点から、保温パック８は着用者の左右の胸部から下方かつ身幅方向の外方に延びていることが好ましい。このように保温パック８を配置することで、着用者が両腕を狭めるように動かした際に保温パック８がスムーズに身幅方向の内方に移動しやすくなり、着用者の腕の動きが阻害されにくくなる。
【００５８】
その他の前身頃２の保温パック８の構成については、後身頃３の保温パック６に関する説明と同様である。例えば、保温パック８は縫合線９で内部が複数に区分されていてもよい。なお、前身頃２にはスペーサーが設けられないことが好ましく、これにより前身頃２の全体を柔軟に形成して、衣料１Ａの着用感を向上させることができる。また、体側部を除く前身頃２には通気部が形成されないことが好ましく、これにより衣料内部の通気性が過度に高まって着用者を冷やすことが防止される。
【００５９】
次に本発明の衣料の他の実施態様について説明する。図５および図６には、本発明の衣料の他の一例を示した。図５は衣料を後身頃の外面側から見た全体図を表し、図６は後身頃を着用者側から見た展開図を表す。なお、下記の説明において、上記と重複する部分の説明を省略する。また、図５および図６では、図１〜図４と同じ構成要素を同一符号で表している。
【００６０】
図５および図６に示した衣料１（１Ｂ）では、後身頃３が表地１０と裏地１１を有している。裏地１１は、メッシュ部材から構成された基材にスペーサー４が設けられて形成されており、スペーサー４は、裏地１１の着用者側に面して、背中の身幅方向の両側に設けられている。さらに、衣料１Ｂの裏地１１には、スペーサー４の身幅方向の外方に、着用者側に面して保温パック６が設けられている。
【００６１】
図６に示すように、裏地１１では、メッシュ部材（クロスハッチングで示された部分）が、背中の身幅方向の中央部と体側部に設けられており、これにより当該部分での裏地１１における通気性が高められている。そのため、着用者の背中の身幅方向の中央部や体側部から発せられた熱や蒸れが、裏地１１のメッシュ部材を通って、裏地１１と表地１０の間でも拡散することができる。一方、保温パック６は、着用者の肩甲骨から下方に延びるように配置されており、これにより保温性が確保されている。
【００６２】
メッシュ部材としては、衣料に一般的に用いられるメッシュ生地を用いればよい。メッシュ部材の開口形状は特に限定されない。メッシュ部材は、例えば、円相当径として０．５ｍｍ〜１０ｍｍ（好ましくは０．８ｍｍ〜８ｍｍ）の開口が形成されていればよい。円相当径は、メッシュ部材に負荷をかけずに平面状に置いた状態で、メッシュ部材に形成された各開口の面積を測定し、それと等面積の円の直径を算出することにより求められる。メッシュ部材の開口率は、例えば、１０％〜４０％（好ましくは１５％〜３０％）であればよい。開口率は、メッシュ部材に負荷をかけずに平面状に置いた状態で、メッシュ部材に形成された各開口の面積を測定し、これをメッシュ部材の面積で除することにより求められる。一方、保温パックを構成する織布や編布にはメッシュ部材のように大きな開口は形成されておらず、織布や編布に形成される隙間（織布や編布を構成する糸間の隙間）の大きさは、円相当径で０．５ｍｍ未満（好ましくは０．２ｍｍ以下であり、より好ましくは０．１ｍｍ以下）となることが好ましい。
【００６３】
表地１０には、スペーサー４の間の位置に通気部５が形成されている。衣料１Ｂは、その結果、背中の身幅方向の中央部での通気性が高く形成され、スペーサー４の間に溜まった熱や蒸れが通気部５を通ってスムーズに外部に放出される。衣料１Ｂでは、表地１０と裏地１１の間に溜まった熱や蒸れも、表地１０の通気部５を通って外部に放出することができる。なお衣料１Ｂでは、衣料１Ａとは異なり、通気部５が後身頃３の身長方向の全体に延びるように形成されている。
【００６４】
後身頃３には、保温パック６として、身幅方向の一方側と他方側それぞれに、身長方向に離間して上側保温パック６Ａと下側保温パック６Ｂが設けられている。このように保温パック６を配置することにより、上側保温パック６Ａと下側保温パック６Ｂの間に体側部から背中の身幅方向の中央部に繋がる拡散空間が形成される。その結果、体側部から発せられた熱や蒸れが上側保温パック６Ａと下側保温パック６Ｂの間の空間を通って背中の身幅方向の中央部に移行しやすくなり、スペーサー４の間に形成された通気部５から外部に放出することができる。このとき、体側部からの熱や蒸れが背中の身幅方向の中央部に移行しやすくする点から、上側保温パック６Ａと下側保温パック６Ｂの間の空間は、身幅方向の外方から内方に向かって身長方向の上方に向かうように形成されていることが好ましい。同様の理由から、保温パック６の縫合線７も、身幅方向の外方から内方に向かって身長方向の上方に向かうように形成されていることが好ましい。
【００６５】
衣料１Ｂでは、スペーサー４が上側保温パック６Ａの身幅方向の内方に設けられ、下側保温パック６Ｂの身幅方向の内方には設けられていない。このように後身頃３を構成することにより、スペーサー４と上側保温パック６Ａが一体化され、着用者が上半身を屈曲させたり捻ったりする動作を行いやすくなる。また、下側保温パック６Ｂの身幅方向の内方にスペーサー４を設けないことにより、後身頃３の下方の部分が柔軟に形成され、衣料１Ｂを着用の際にスペーサー４が邪魔になりにくくなる。なお、スペーサー４は、上側保温パック６Ａと下側保温パック６Ｂの間の空間の内方にも設けられないことが好ましく、これにより、体側部から発せられた熱や蒸れが当該空間を通って背中の身幅方向の中央部に移行しやすくなる。
【００６６】
以上、本発明の衣料について説明したが、前身頃と後身頃の構成や、スペーサーと通気部と保温パックの各構成や配置、表地と裏地の構成は、上記に説明した実施態様に限定されず、それぞれ独立して、様々な変更や組み合わせが可能である。
【００６７】
本発明の衣料は、登山やゴルフ等のアウトドアにおける防寒着や作業着等に好適に適用することができる。防寒着としては、コート、ジャンパー、ウィンドブレーカー、レインウェア、スキーウェア等が挙げられる。本発明の衣料はまた、比較的薄手の材料から構成することができるため、運動性に優れるものとなる。保温パックが設けられる場合であっても、保温パックによって身体の動きが邪魔されにくく、登山やゴルフ等のアウトドアでの活動の際に好適に着用することできる。
【符号の説明】
【００６８】
１：  衣料
２：  前身頃
３：  後身頃
４：  スペーサー
５：  通気部
６，８：  保温パック
７，９：  縫合線
１０：  表地
１１：  裏地
【図１】
2017095811.tif 000003
【図２】
2017095811.tif 000004
【図３】
2017095811.tif 000005
【図４】
2017095811.tif 000006
【図５】
2017095811.tif 000007
【図６】
2017095811.tif 000008
【手続補正書】
【提出日】平成28年11月15日(2016.11.15)
【手続補正１】
【補正対象書類名】特許請求の範囲
【補正対象項目名】請求項１
【補正方法】変更
【補正の内容】
【請求項１】
前身頃と後身頃を有する衣料であって、
後身頃には、身幅方向の両側の肩甲骨の高さ部分に、着用者側に面して身長方向に延びるスペーサーが設けられ、前記スペーサーは、身長方向の長さが身幅方向の長さよりも長く、延在長さ／幅の比が５以上３０以下に形成され、前記スペーサーの間に通気部が形成されていることを特徴とする衣料。